(57)【特許請求の範囲】
【請求項１】
酸性の結露水を中和するための中和装置であって、容器状のケース本体内には、ケース本体の一端側の入口から導入される結露水が他端側の出口に向けて上下方向にジグザグに移動して行くようにジグザグ通路仕切り壁を設けるようにした結露水中和装置において、
前記ケース本体の開口部に近い内側壁に補強リブを一体成形すると共に、前記各ジグザグ通路仕切り壁はケース本体の対向する両側壁から突出して一体成形された一対の仕切り壁構成片の先端部が相互に突き合わされて構成され、且つ前記複数のジグザグ通路仕切り壁のうち結露水が仕切り壁の下を通過する方のジグザグ通路仕切り壁は、その一対の仕切り壁構成片のそれぞれがその突出基端部から突出先端部にかけて高さが低くなるように構成することでジグザグ通路仕切り壁の上方に通気空間を構成するようにすると共に、前記突出基端部が前記補強リブに連続して一体的に構成されていることを特徴とする結露水中和装置。
【請求項２】
出口に隣接する最後のジグザグ通路仕切り壁は、その一対の仕切り壁構成片がその突出先端部において当接することなく対峙して液の通過を許すスリットを構成していることを特徴とする請求項１に記載の結露水中和装置。
【請求項３】
酸性の結露水を中和するための中和装置であって、容器状のケース本体と該ケース本体に外嵌するケース蓋とからなり、前記ケース本体の上部外側壁に複数個の引っ掛け用突起部を一体成形すると共に、前記ケース蓋の対応する部分に前記引っ掛け用突起部に嵌り合う引っ掛け用口部を設け、且つ前記引っ掛け用突起部はその下端を抜け止め用返り部に構成すると共に、前記引っ掛け用口部の下口縁に外側に反らされた係止片を構成し、これによってケース本体にケース蓋を取り付けた際に前記引っ掛け用突起部に嵌り合った引っ掛け用口部の係止片が引っ掛け用突起部の抜け止め用返り部に当接して係止されるようにしたことを特徴とする結露水中和装置。
【請求項４】
ケース蓋は金属製とすることを特徴とする請求項３に記載の結露水中和装置。
【請求項５】
ケース本体の底部近くの少なくとも対向する２側壁の内壁に抜け止め防止用の突出部を一体成形し、該突出部に対してこれを乗り越えて下方に圧入されるようにしてストレーナを配置し、これによって結露水のジグザグ通路において中和剤及び中和反応生成物をストレーナよりも上方に分離するようにしたことを特徴とする請求項１〜４の何れかに記載の結露水中和装置。
【請求項６】
ケース本体を樹脂製のブロー成形品としたことを特徴とする請求項１〜５の何れかに記載の結露水中和装置。
【発明の詳細な説明】
【０００１】
【発明の属する技術分野】
本発明は熱交換器等で発生した酸性の結露水を中和するための結露水中和装置に関する。
【０００２】
【従来の技術】
熱交換器等で発生した酸性の結露水を中和するための結露水中和装置において、コンパクトな容器を用いて且つ中和剤と結露水との接触時間を十分に確保するためには、結露水の通路をジグザグ等にして十分長くする必要がある。このためには、ジグザグ通路を構成するための仕切り壁が中和槽の容器内に必要となる。また中和処理を終えた結露水が中和槽から出る出口付近には、中和剤が一緒に流出しないようにするための構成が必要となる。更に上記ジグザグ通路の一部を構成する中和槽の内底部付近の空間には、中和剤や中和反応生成物が沈下してきて溜まらないように分離するためのストレーナ等を配置する構成が必要となる。
従来、上記のような各機能を保有した中和槽を構成するために、一般的に先に構成した大まかな中和槽の構成に対して複数の構成部材を後から接着やその他の方法で結合し、更に中和槽の全体を組み立てていく方法が採られていた。このため組み立て工数が増大し、また構造も複雑となる一方で、コストの増大を招いていた。
【０００３】
【発明が解決しようとする課題】
上記のような問題を解消するための方法として、本発明者等は中和槽を樹脂によるブロー成形で形成することとした。しかし、例えばブロー成形の中空部を適当に切断して容器状の本体ケースとする場合には、その本体ケースの側壁が内側へ倒れ込み易いという問題があった。そしてこの側周壁の内側への倒れ込み（内倒れ）を防止するための策として、補強リブを本体ケースの上端開口付近の倒れ込み易い側壁に形成することができるが、そのような補強リブだけでは十分ではなく、またそのような補強リブだけで倒れ込み傾向を減少させるためにはリブ高さを相当大きくしなければならなかった。
一方、中和処理の終わった結露水を容器状の本体ケースから排出する際に中和剤が一緒に流出しないようにする必要があるが、従来は孔を多数設けたストレーナ若しくは網を別品として取り付ける構成となっており、これが外れたり、ズレたりして中和剤が漏れ出る問題があった。また組み立てコストが付加されていた。
また従来の中和装置において、容器状のケース本体に対してケース蓋を上から外嵌させて取り付ける場合、ケース本体に引っ掛け用突起部を設け、これにケース蓋に設けた引っ掛け用口部を嵌め合せて係合させるようにしたものがあったが、前記ケース蓋に設けた引っ掛け用口部全体がフラットな面となっていたことから、引っ掛け用口部が引っ掛け用突起部から外れ易い問題、及び引っ掛け用口部と引っ掛け用突起部とが十分に接触状態を保っていないことから、ケース蓋をケース本体に取り付けた後もガタツキが発生し易い問題があった。
更に従来の中和装置において、中和槽の内底部付近の空間にストレーナを配置し、これによって沈降してきた中和剤や中和反応生成物が中和槽の内底に溜まって通路を閉塞するのを予防するようにしたものでは、前記ストレーナが上方に外れないように別部材を用いて上から押える構成としていたが、別部品を必要とするため、部品点数上或いは組み立てコスト上の問題があった。
【０００４】
そこで本発明は上記従来の結露水中和装置の欠点を解消し、ブロー成形法を用いて製作する場合においても、容器状のケース本体の内倒れを十分に防止できる強度を有することができると共に、部品点数を十分に少なくすることができ、また中和剤や中和反応生成物が出口から流出したりケース本体内底部に溜まって通路を閉塞することを省部品点数で且つ確実に防止することができ、またケース本体にケース蓋をした際に、容易に外れたり、ガタついたりするのを防止することができる結露水中和装置の提供を課題とする。
【０００５】
【課題を解決するための手段】
上記課題を解決するため、本発明の結露水中和装置によれば、酸性の結露水を中和するための中和装置であって、容器状のケース本体内には、ケース本体の一端側の入口から導入される結露水が他端側の出口に向けて上下方向にジグザグに移動して行くようにジグザグ通路仕切り壁を設けるようにした結露水中和装置において、前記ケース本体の開口部に近い内側壁に補強リブを一体成形すると共に、前記各ジグザグ通路仕切り壁はケース本体の対向する両側壁から突出して一体成形された一対の仕切り壁構成片の先端部が相互に突き合わされて構成され、且つ前記複数のジグザグ通路仕切り壁のうち結露水が仕切り壁の下を通過する方のジグザグ通路仕切り壁は、その一対の仕切り壁構成片のそれぞれがその突出基端部から突出先端部にかけて高さが低くなるように構成することでジグザグ通路仕切り壁の上方に通気空間を構成するようにすると共に、前記突出基端部が前記補強リブに連続して一体的に構成されていることを第１の特徴としている。
また本発明の結露水中和装置は、上記第１の特徴に加えて、出口に隣接する最後のジグザグ通路仕切り壁は、その一対の仕切り壁構成片がその突出先端部において当接することなく対峙して液の通過を許すスリットを構成していることを第２の特徴としている。
また本発明の結露水中和装置は、酸性の結露水を中和するための中和装置であって、容器状のケース本体と該ケース本体に外嵌するケース蓋とからなり、前記ケース本体の上部外側壁に複数個の引っ掛け用突起部を一体成形すると共に、前記ケース蓋の対応する部分に前記引っ掛け用突起部に嵌り合う引っ掛け用口部を設け、且つ前記引っ掛け用突起部はその下端を抜け止め用返り部に構成すると共に、前記引っ掛け用口部の下口縁に外側に反らされた係止片を構成し、これによってケース本体にケース蓋を取り付けた際に前記引っ掛け用突起部に嵌り合った引っ掛け用口部の係止片が引っ掛け用突起部の抜け止め用返り部に当接して係止されるようにしたことを第３の特徴としている。
また本発明の結露水中和装置は、上記第３の特徴に加えて、ケース蓋は金属製とすることを第４の特徴としている。
また本発明の結露水中和装置は、上記第１〜４の何れかの特徴に加えて、ケース本体の底部近くの少なくとも対向する２側壁の内壁に抜け止め防止用の突出部を一体成形し、該突出部に対してこれを乗り越えて下方に圧入されるようにしてストレーナを配置し、これによって結露水のジグザグ通路において中和剤及び中和反応生成物をストレーナよりも上方に分離するようにしたことを第５の特徴としている。
また本発明の結露水中和装置は、上記第１〜５の何れかの特徴に加えて、ケース本体を樹脂製のブロー成形品としたことを第６の特徴としている。
【０００６】
上記第１の特徴によれば、容器状の本体ケース内に構成される結露水のジグザグ通路仕切り壁は、ケース本体の対向する両側壁から突出して一体成形された一対の仕切り壁構成片の先端部が相互に突き合わされることで構成されるようになされているので、仕切り壁構成片が本体ケースの成形の際に同時に一体的に成形されることで、該ジグザグ通路仕切り壁を別部品で別途に構成する必要がなくなる。
しかも複数のジグザグ通路仕切り壁の内、結露水が仕切り壁の下を通過する方の各ジグザグ通路仕切り壁は、結露水が無闇にオーバーフローしないように背丈を高くする必要があるとことから、この背の高いジグザグ通路仕切り壁を構成する一対の仕切り壁構成片の突出基端部をケース本体の上縁開口部に近い内側壁に構成した補強リブと連続して一体に構成することで、ケース本体の内倒れが確実に防止され、強度の強いケース本体となる。勿論、前記各一対の仕切り壁構成片は突出基端部から突出先端部にかけて高さ（背丈）が低くなるようにしてあるので、そのジグザグ通路仕切り壁の上方に通気空間が構成され、ジグザグ通路各部間の均圧化を促進してスムーズな流れを確保すると共に、結露水がケース本体内の途中で閉塞されたような場合にもオーバーフローによる出口側への流れを確保することできる。
【０００７】
上記第２の特徴によれば、上記第１の特徴による作用効果に加えて、結露水の出口に隣接する最後のジグザグ通路仕切り壁が、両側壁からそれぞれ突出する一対の仕切り壁構成片で構成されると共に、その一対の仕切り壁構成片の突出先端部が相互に隙間をもって対峙するように、液の通過を許容するスリットを構成していることで、別途にストレーナや金網等のフィルターを取り付けることなく、本体ケースの一部として、中和剤や中和反応生成物が流出するのを防止することができる。
【０００８】
上記第３の特徴によれば、ケース蓋をケース本体に被せて外嵌させると、ケース蓋の各引っ掛け用口部がケース本体の各引っ掛け用突起部に嵌り合うと共に、各引っ掛け用口部の下口縁の外側に反らされた係止片が引っ掛け用突起部の下端の抜け止め用返り部に抗して嵌り込み、更にこの外側に反らされた係止片が嵌り込んだ状態で抜け止め用返り部に当接して係止される。これによってケース蓋がケース本体から容易に外れるのが防止されると共に、ケース蓋とケース本体とのガタツキも解消される。
【０００９】
上記第４の特徴によれば、上記第３の特徴に加えて、ケース蓋を金属製とすることで、あまり厚みを厚くしなくとも、ケース蓋の引っ掛け用口部の係止片の強度を十分強くすることができ、且つ係止片は弾力性をもって引っ掛け用突起部に嵌り込み、弾力性をもって引っ掛け用突起部の抜け止め用返り部に当接して係止される。
【００１０】
上記第５の特徴によれば、上記第１〜４の何れかの特徴による作用効果に加えて、ストレーナはケース本体の底部近くの内側壁に一体成形された突出部を乗り越えて下方に圧入されて配置されることで、押え部材を別途設けなくとも、ストレーナが上方に外れたりするのを予防することが可能となる。
【００１１】
上記第６の特徴によれば、上記第１〜５の何れかの特徴に加えて、ケース本体をブロー成形品とすることで、上記の各構造を有するケース本体を容易に製作することができる。
【００１４】
【発明の実施の形態】
以下に本発明の実施の形態を、図面を参照しながら説明する。
図１は結露水中和装置の平面図である。図２はケース蓋を取り外したケース本体の平面図で、ジグザグ通路に配置される中和剤やストレーナを省いた状態を示す。図３はケース本体の中央部の縦断面図である。図４は図３のＡ−Ａ断面図で、ジグザグ通路に配置される中和剤を省いた状態を示す。図５は図３のＢ−Ｂ断面図で、ジグザグ通路に配置される中和剤を省いた状態を示す。図６は図３のＣ−Ｃ断面図である。図７は図３のＤ−Ｄ断面図で、ジグザグ通路に配置される中和剤を省いた状態を示す。図８は図３のＥ−Ｅ断面図、図９はケース本体の右側面図、図１０は結露水中和装置の背面図である。図１１は図１のＦ−Ｆ断面図で、ジグザグ通路に配置される中和剤を省いた状態を示す。図１２はケース蓋の一部の詳細図、図１３はストレーナの平面図、図１４はストレーナの正面図である。
【００１５】
図１〜図３、図１０等を参照して、結露水中和装置は容器状のケース本体１０と、ケース蓋２０とからなる。結露水中和装置に対しては、その一端側に結露水の入口２１が設けられている。
【００１６】
図２〜図９を参照して、本体ケース１０は容器状に構成され、その内空間がジグザグ通路仕切り壁１１、１２、１３で仕切られることで、前記入口２１のあるケース本体の一端側から他端側の出口１４に向けて上下方向にジグザグするジグザグ通路Ｐが構成される。このジグザグ通路Ｐを通って結露水が前記入口２１から出口１４に移動し、その間にジグザグ通路Ｐに配置された中和剤Ｇ（図３参照）によって中和される。
また前記本体ケース１０の上縁開口部に近い内側壁には、補強リブ１５が突出して一体成形されている。この補強リブ１５は、具体的には本体ケース１０の長寸の側壁１０ａ、１０ａの側壁に内側に突出するように成形されている。短寸の側壁１０ｂ、１０ｂには設けていないが、同様に設けてもよい。
【００１７】
前記ジグザグ通路仕切り壁１１、１２、１３は、それぞれ一対の仕切り壁構成片１１１、１１１、１２２、１２２、１３３、１３３から構成される。
各仕切り壁構成片１１１、１１１、１２２、１２２、１３３、１３３は前記本体ケース１０の長寸の側壁１０ａ、１０ａから内方へ突出するようにして一体成形されている。
前記ジグザグ通路仕切り壁１１、１２、１３のうち、前記出口１４に隣接する最後のジグザグ通路仕切り壁１３を除くジグザグ通路仕切り壁１１、１２は、それぞれ仕切り壁構成片１１１、１１１の突出先端部１１１ａ、１１１ａ、及び仕切り壁構成片１２１、１２１の突出先端部１２１ａ、１２１ａが相互に突き合わされて当接するように構成されている。この当接は樹脂のブロウ成形の場合、実質的に前記当接部で接着状態となる場合が多い。
【００１８】
前記出口１４に隣接する最後のジグザグ通路仕切り壁１３を除くジグザグ通路仕切り壁１１、１２のうち、結露水が仕切り壁の下を通過するようにした方のジグザグ通路仕切り壁１１は、その背丈を高くして、結露水が無闇にこのジグザグ通路仕切り壁１１をオーバーフローして通路短絡しないようにしている。その一方、ジグザグ通路仕切り壁１１の上方にも通気空間Ｑを残すことで、各ジグザグ通路Ｐ間の均圧化を促進してスムーズな流れを確保すると共に、結露水がケース本体１０内のジグザグ通路Ｐの途中で閉塞されたような場合にはオーバーフローを起こさせることで出口１４側への流れを確保する必要がある。このような要請から、前記背丈を高くしたジグザグ通路仕切り壁１１であってもその中央部付近は背丈を少し低くする必要がある。
以上のような状況において、前記背丈の高いジグザグ通路仕切り壁１１は、その仕切り壁構成片１１１、１１１を、その突出基端部１１１ｂが突出先端部１１１ａよりも高くなるように構成している。即ち、突出基端部１１１ｂから突出先端部１１１ａにかけて高さが低くなるように傾斜させている。
そして前記前記背丈の高いジグザグ通路仕切り壁１１の仕切り壁構成片１１１、１１１の各突出基端部１１１ｂ、１１１ｂはケース本体１０の開口部に近い内側壁に設けられて前記補強リブ１５と連続するようにして一体成形している。
この様に仕切り壁構成片１１１の突出基端部１１１ｂを補強リブ１５と連続して一体成形することで、容器としてのケース本体１０の強度が大きく向上し、ケース本体１０の側壁の内側への倒れ込みを十分に防止することができる。
前記内倒れ防止の効果は、ケース本体１０を樹脂材料によるブロー成形により、その中空部の途中を切断して形成する場合に特にその効果が大きい。
【００１９】
図２〜図４等を参照して、前記出口１４に隣接するジグザグ通路仕切り壁１３については、該ジグザグ通路仕切り壁１３を構成する一対の仕切り壁構成片１３１、１３１の突出先端部１３１ａ、１３１ａが相互に当接することなく対峙するように構成し、これによってスリットＳを構成している。
前記スリットＳは、結露水は通過することができるが中和剤Ｇや中和反応生成物は通過できないような隙間寸法になるようにする。
スリットＳを仕切り壁構成片１３１、１３１の一体成形に伴って構成されるようにしたことで、従来用いられていた金網やストレーナ等を別途用いることなく、また組み立て作業を行うことなく、フィルター機能を構成することができる。
【００２０】
次にケース本体１０とケース蓋２０との取り付けについて説明する。
ケース本体１０とケース蓋２０との取り付けは、ケース本体１０の上部外側壁に複数個の引っ掛け用突起部１６を設け、ケース蓋２０の前記引っ掛け用突起部１６に対応する部分に引っ掛け用口部２２を設けることにより行う。
図２、図７、図９〜図１１等を参照して、引っ掛け用突起部１６は、その上端から下方へなだらかな角度で突出すると共に、その下端が直角または多少鋭角になるようにして抜け止め用返り部１６ａを構成する。
一方、前記引っ掛け用口部２２には、図１０、図１１、図１２等を参照して、引っ掛け用口部２２の下口縁に周囲の面に対して外側に反らされた係止片２２ａを構成している。
このように構成して、ケース蓋２０をケース本体１０に被せて外嵌させると、ケース蓋２０の各引っ掛け用口部２２がケース本体１０の各引っ掛け用突起部１６に嵌り込み、各引っ掛け用口部２２の係止片２２ａが引っ掛け用突起部１６の抜け止め用返り部１６ａに抗して嵌り込み、この外側に反らされた係止片２２ａが嵌り込んだ状態で抜け止め用返り部１６ａに当接して係止される。これによってケース蓋２０がケース本体１０から容易に外れるのが防止されると共に、ケース蓋２０とケース本体１０とのガタツキも解消される。
前記ケース蓋２０は金属製とすることができる。金属製とすることで、ケース蓋２０の厚みを薄くしても強度を確保することができる。また前記引っ掛け用口部２２の係止片２２ａが弾力性と強度を備えることができるので、堅固に且つ十分に引っ掛け用突起部１６の抜け止め用返り部１６ａに係止させることができる。
【００２１】
次にケース本体１０内にストレーナ３０を取り付ける構成を説明する。
図５、図１３、図１４等を参照して、ストレーナ３０は、ケース本体１０の内底部付近の空間に嵌り合って配置されることで、中和剤Ｇや中和反応生成物をストレーナ３０より上の領域に分離し、ケース本体１０内底に溜まってジグザグ通路Ｐを閉塞するのを予防するものである。該ストレーナ３０は多孔状態とした本体平板部３１と、該本体平板部３１の互いに対向する２辺から下方に延びる一対の脚部３２、３２とからなる。該ストレーナ３０は、例えば金属製とすることができる。
前記ケース本体１０の内底部付近の空間に嵌り合って配置される本体平板部３１の寸法は、該本体平板部３１が配置されるケース本体１０内定部付近の内空間の水平断面形状と相似形状とする。
前記一対の脚部３２、３２は本体平板部３１の前記２辺から垂下した状態に設けられるが、その脚部３２の途中から下の下半部３２ａは内方に傾斜するように折り曲げて構成されている。前記下半部３２ａの折り曲げ角度αは、例えば４５度より小さな角度としている。
【００２２】
一方、前記ストレーナ３０が配置されるべきケース本体１０の内底部付近の少なくとも対向する２側壁１０ａ、１０ａの内壁に、抜け止め防止用の突出部１７を一体成形して設けている。この突出部１７は内壁から突出するリブとして側壁１０ａ、１０ａに一体成形することができる。
前記突出部１７の上半部の傾斜角度βは前記脚部３２の下半部３２ａの折り曲げ角度αと同じ角度とし、突出部１７の下半部の角度γは４５度より大きい角度としている。
そして両側に対向する突出部１７、１７の間隙寸法が前記ストレーナ３０の本体平板部３１の幅Ｗ（脚部３２は設けられている２辺間の寸法）よりも少し小さくなるように構成する。
今、ストレーナ３０をその一対の脚部３２を下にしてケース本体１０内に降下させていくと、先ずストレーナ３０の脚部３２の下半部３２ａが突出部１７の上半部に到達し、上半部の傾斜角度βに沿った状態で降下しつつ、その降下抵抗が増大する。が、ストレーナ３０は、その下半部３２ａが窄まった脚部３２でケース本体１０の両側壁１０ａ、１０ａを徐々に押し広げる格好となって、突出部１７を乗り越えて下方の空間に嵌り込み、脚部３２が内底に達したところで安定する。
一旦突出部１７を乗り越えて下方に配置されたストレーナ３０は、前記突出部１７の下半部の傾斜角度γが４５度より大きい角度となっていることから、容易に上方には抜け出ることができなくなり、その位置で安定する。
よって突出部１７をケース本体１０の側壁１０ａの一部に一体成形することで、ストレーナ３０を確実に配置して抜け止めもできるので、別途、専用の部材を用意してストレーナ３０を上から押えるようにする等の必要性がなくなる。
【００２３】
上記本発明の実施例では、本体ケース１０を中和剤Ｇや酸性の結露水に対して耐性のある樹脂で成形するが、特にブロー成形で成形することができる。ブロー成形でケース本体１０を成形しても、ケース本体１０の内倒れが十分に防止できる構成となっているからである。
【００２４】
図３を参照して本発明の更に他の実施形態を説明する。ケース本体１０内に構成されるジグザグ通路Ｐはジグザグ通路仕切り壁１１、１２、１３で構成されているが、ジグザグ通路Ｐのうち、入口２１側の第１槽Ｐ１と該第１槽Ｐ１に隣接する第２槽Ｐ２との間を仕切るジグザグ通路仕切り壁１１は、その背丈を高く構成し、次の第２槽Ｐ２と第３槽Ｐ３との間を仕切るジグザグ通路仕切り壁１２はその背丈を低く構成する。第３槽Ｐ３と第４槽Ｐ４との間のジグザグ通路仕切り壁１１は再び背丈を高くする。
一方、前記出口１４に隣接するジグザグ通路仕切り壁１３のスリットＳの位置を前記背丈の低いジグザグ通路仕切り壁１２と同レベル程度にすることにより、ケース本体１０内での結露水の通常時における水位Ｌを前記背丈の低いジグザグ通路仕切り壁１２よりも僅かに高い程度としている。
更に中和剤Ｇについては、前記水位Ｌのある背丈の低いジグザグ通路仕切り壁１２の上端付近を十分に越えた上方の位置（背丈の高い方のジグザグ通路仕切り壁１１を越えない）まで充填するようにしている。
【００２５】
以上のような構成とすることで、中和剤Ｇが中和反応により減量していくと、重力により上の方にある中和剤Ｇが下方に移動してきて、反応部に補充されることとなり、長期にわたって安定した中和反応が可能となる。又この種の構成では、従来より中和反応によって生じた反応生成物により結露水通路が詰まるという問題が発生し、それは第１槽Ｐ１の下方近辺から生じがちであるが、本発明の場合には、第１槽Ｐ１と第２槽Ｐ２との間のジグザグ通路仕切り壁１１が高く、且つの第２槽Ｐ２と第３槽Ｐ３との間のジグザグ通路仕切り壁１２が低いことにより、第１槽Ｐ１の下方で詰まりかけた場合に第１槽Ｐ１の水位と第２槽Ｐ２の水位に大きく差ができ、その水頭圧差によって、詰まりに逆らって流れようとする力が強くなり、中和反応生成物を押し流し易くなるという効果が生じる。
また仮に第１槽Ｐ１の下方が完全に詰まった場合でも、第１槽Ｐ１と第２槽Ｐ２との間のジグザグ通路仕切り壁１１の上端からオーバーフローした結露水は、殆んど反応せずに直ぐに隣の第２槽Ｐ２と第３槽Ｐ３の間のジグザグ通路仕切り壁１２を乗り越えるということなく、第２槽Ｐ２の上部の中和剤Ｇと反応してから第３槽Ｐ３に至るため、不完全な中和状態のままで出口１４から排出される不都合が低減されるという効果も生じる。
【００２６】
図１、図３を参照して、本発明の更に他の実施形態を説明する。この実施形態においては、２本の電極４１、４１をケース本体１０内に垂下させてなる水位センサ４０をケース蓋２０に配置している。この水位センサ４０の一対の電極４１は、ケース本体１０内の上部空間まで垂下させることで、結露水の水位が通常時の水位Ｌを超えて、異常に上昇したときにこれを検出するように構成している。
そして、前記水位センサ４０による異常水位の検出が一定時間以上継続する場合には、該水位センサ４０の検出情報を受け取る図示しない給湯装置における制御部において、中和反応生成物による詰まりと判定するようにしている。
前記中和反応生成物による詰まりと判定することで、前記給湯装置の制御部は、給湯装置のリモコンを通じて中和装置の異常を報知するように構成し、或いは給湯装置の使用禁止をするように構成する。
前記中和反応生成物による詰まりと判定するのは、異常水位の検出が一定時間以上継続する場合とする。これは中和反応生成物等による詰まりが無い場合でも寒冷時には凍結により詰まりが発生することがあり、この場合には結露水が流れてくることによって凍結が解氷され、凍結による詰まりはまもなく解除されるからである。この凍結による詰まりの場合を排除するためには、例えば３０分等の一定の継続時間を条件することで行うことができる。
勿論、結露水の温度、中和装置内の温度、中和装置近傍の気温を検出する温度センサを用いて、その温度センサが凍結危険温度（例えば２℃）以下になった場合のみ、前記のような３０分以上の長時間の継続を条件として、反応性生物による詰まりを判定するようにしてもよい。前記凍結危険温度を超える温度の場合には、水面の揺れ等による誤検出をしないように、例えば数秒間から数十秒間等の比較的短い継続時間の条件をもって、中和反応生成物による詰まりを判定することができる。
【００２７】
【発明の効果】
本発明は以上の構成、作用からなり、請求項１に記載の結露水中和装置によれば、酸性の結露水を中和するための中和装置であって、容器状のケース本体内には、ケース本体の一端側の入口から導入される結露水が他端側の出口に向けて上下方向にジグザグに移動して行くようにジグザグ通路仕切り壁を設けるようにした結露水中和装置において、前記ケース本体の開口部に近い内側壁に補強リブを一体成形すると共に、前記各ジグザグ通路仕切り壁はケース本体の対向する両側壁から突出して一体成形された一対の仕切り壁構成片の先端部が相互に突き合わされて構成され、且つ前記複数のジグザグ通路仕切り壁のうち結露水が仕切り壁の下を通過する方のジグザグ通路仕切り壁は、その一対の仕切り壁構成片のそれぞれがその突出基端部から突出先端部にかけて高さが低くなるように構成することでジグザグ通路仕切り壁の上方に通気空間を構成するようにすると共に、前記突出基端部が前記補強リブに連続して一体的に構成されているので、
ジグザグ通路仕切り壁をケース本体の両側壁から突出する一体成形の仕切り壁構成片の突き合わせで構成するようにしているので、ジグザグ通路仕切り壁を別部品で別途に構成する必要がなくなる。よって部品点数の低減及び組み立てコストの大きな低減を図ることができる。
しかも複数のジグザグ通路仕切り壁のうち、結露水が仕切り壁の下を通過する方の各ジグザグ通路仕切り壁の一対の仕切り壁構成片の突出基端部は、ケース本体の上縁開口部に近い内側壁に構成した補強リブと連続して一体に構成するようにしたので、ブロー成形を用いてケース本体を成形した場合等においても、ケース本体の内倒れを確実に防止することができ、十分に強度の強いケース本体とすることができる。
勿論、前記各一対の仕切り壁構成片は突出基端部から突出先端部にかけて高さ（背丈）が低くなるようにしてあるので、そのジズザグ通路仕切り壁の上方に通気空間を確保することができ、ジグザグ通路各部間の均圧化を促進してスムーズな流れを確保すると共に、結露水がケース本体内の途中で閉塞されたような場合にもオーバーフローによる出口側への流れを確保することができる。
また請求項２に記載の結露水中和装置によれば、上記請求項１に記載の構成による効果に加えて、出口に隣接する最後のジグザグ通路仕切り壁は、その一対の仕切り壁構成片がその突出先端部において当接することなく対峙して液の通過を許すスリットを構成しているので、
処理済み結露水の出口付近に、別途にストレーナや金網等のフィルターを用意して、これを組み立てることなく、本体ケースの一部として、中和剤や中和反応生成物が流出するのを防止することができる。よって部品点数、組み立てコストの低減を図れると共に、別途組み立てたストレーナや金網が外れて中和剤等の流出が生じたりすることを確実に防止することができる。
また請求項３に記載の結露水中和装置によれば、酸性の結露水を中和するための中和装置であって、容器状のケース本体と該ケース本体に外嵌するケース蓋とからなり、前記ケース本体の上部外側壁に複数個の引っ掛け用突起部を一体成形すると共に、前記ケース蓋の対応する部分に前記引っ掛け用突起部に嵌り合う引っ掛け用口部を設け、且つ前記引っ掛け用突起部はその下端を抜け止め用返り部に構成すると共に、前記引っ掛け用口部の下口縁に外側に反らされた係止片を構成し、これによってケース本体にケース蓋を取り付けた際に前記引っ掛け用突起部に嵌り合った引っ掛け用口部の係止片が引っ掛け用突起部の抜け止め用返り部に当接して係止されるようにしたので、
ケース蓋をケース本体に確実に取り付けることができ、ケース蓋がケース本体から容易に外れるのを十分に防止することができると共に、ケース蓋とケース本体とのガタツキを確実に防止することができる。
また請求項４に記載の結露水中和装置によれば、上記請求項３に記載に構成による効果に加えて、ケース蓋は金属製としたので、
ケース蓋の厚みをあまり厚くしなくてもケース蓋の引っ掛け用口部の係止片の強度を十分強くすることができ、また前記係止片を弾力性をもって引っ掛け用突起部に嵌め込むことができ、弾力性をもって引っ掛け用突起部の抜け止め用返り部に当接、係止させることができる。
また請求項５に記載の結露水中和装置によれば、上記請求項１〜４の何れかに記載の構成による効果に加えて、ケース本体の底部近くの少なくとも対向する２側壁の内壁に抜け止め防止用の突出部を一体成形し、該突出部に対してこれを乗り越えて下方に圧入されるようにしてストレーナを配置し、これによって結露水のジグザグ通路において中和剤及び中和反応生成物をストレーナよりも上方に分離するようにしたので、
別途押え部材を設けなくとも、ストレーナが上方に外れたりするのを確実に防止することができるので、補修等のメンテナンスコストを軽減することができる。
また請求項６に記載の結露水中和装置によれば、上記請求項１〜５の何れかに記載の構成による効果に加えて、ケース本体を樹脂製のブロー成形品としたので、
請求項１〜５の何れかに記載した構造を有するケース本体を容易に低コストで製作することができる。
【図面の簡単な説明】
【図１】本発明の実施形態を示す結露水中和装置の平面図である。
【図２】ケース蓋を取り外したケース本体の平面図で、ジグザグ通路に配置される中和剤やストレーナを省いた状態を示す。
【図３】ケース本体の中央部の縦断面図である。
【図４】図３のＡ−Ａ断面図で、中和剤を省いた状態を示す。
【図５】図３のＢ−Ｂ断面図で、中和剤を省いた状態を示す。
【図６】図３のＣ−Ｃ断面図である。
【図７】図３のＤ−Ｄ断面図で、中和剤を省いた状態を示す。
【図８】図３のＥ−Ｅ断面図である。
【図９】ケース本体の右側面図である。
【図１０】結露水中和装置の背面図である。
【図１１】図１のＦ−Ｆ断面図である。
【図１２】ケース蓋の一部の詳細図である。
【図１３】ストレーナの平面図である。
【図１４】ストレーナの正面図である。
【符号の説明】
１０  ケース本体
１０ａ  長寸の側壁
１０ｂ  短寸の側壁
１１、１２、１３  ジグザグ通路仕切り壁
１１１、１２１、１３１  仕切り壁構成片
１１１ａ、１２１ａ、１３１ａ  突出先端部
１１１ｂ  突出基端部
１４  出口
１５  補強リブ
１６  引っ掛け用突起部
１６ａ  抜け止め用返り部
１７  突出部
２０  ケース蓋
２１  入口
２２  引っ掛け用口部
２２ａ  係止片
３０  ストレーナ
４０  水位センサ
Ｇ  中和剤
Ｌ  水位
Ｐ  ジグザグ通路
Ｐ１  第１槽
Ｐ２  第２槽
Ｐ３  第３槽
Ｐ４  第４槽
Ｑ  通気空間
Ｓ  スリット
【図１】
0004266526.tif 000002
【図２】
0004266526.tif 000003
【図３】
0004266526.tif 000004
【図４】
0004266526.tif 000005
【図５】
0004266526.tif 000006
【図６】
0004266526.tif 000007
【図７】
0004266526.tif 000008
【図８】
0004266526.tif 000009
【図９】
0004266526.tif 000010
【図１０】
0004266526.tif 000011
【図１１】
0004266526.tif 000012
【図１２】
0004266526.tif 000013
【図１３】
0004266526.tif 000014
【図１４】
0004266526.tif 000015